(57)【要約】【課題】  低コストで多品種の光ドロップケーブル及び光インドアケーブル、光インドアケーブルに対応可能な光ドロップ・インドアケーブルホルダーを提供する。また、低コストとなる光接続箱及び光ケーブルクロージャを提供する。【解決手段】  光ドロップ・インドアケーブルホルダー３１は、ケーブル収容溝３２を複数並べて形成する。ケーブル収容溝３２は、光ドロップ・インドアケーブル収容溝３３と、その光ドロップ・インドアケーブル収容溝３３よりも幅の狭い光インドアケーブル収容溝３４とを上下に連続させて形成する。ケーブル収容溝３２には、ケーブルシース圧着凸部３７を複数形成する。ケーブルシース圧着凸部３７は、互い違いに配置する。光ドロップ・インドアケーブルホルダー３１は、光接続箱を構成する光接続箱本体に対して一体成形する。【選択図】    図１
2006138888.tif 000002
【特許請求の範囲】
【請求項１】
光ドロップ・インドアケーブル収容溝と該光ドロップ・インドアケーブル収容溝よりも幅の狭い光インドアケーブル収容溝とを上下に連続させてケーブル収容溝を形成するとともに、該ケーブル収容溝の両側面には溝長手方向に沿ってケーブルシース圧着凸部を互い違いに配置し、このような前記ケーブル収容溝を複数並べてなる
ことを特徴とする光ドロップ・インドアケーブルホルダー。
【請求項２】
請求項１に記載の光ドロップ・インドアケーブルホルダーを一体成形した光接続箱本体を備える
ことを特徴とする光接続箱。
【請求項３】
請求項１に記載の光ドロップ・インドアケーブルホルダーを一体成形したクロージャ本体を備える
ことを特徴とする光ケーブルクロージャ。
【発明の詳細な説明】
【技術分野】
【０００１】
本発明は、光ドロップケーブル及び光インドアケーブル、光インドアケーブルを把持するホルダー、すなわち光ドロップ・インドアケーブルホルダーに関する。また、本発明は、光ドロップ・インドアケーブルホルダーを有する光接続箱及び光ケーブルクロージャに関する。
【背景技術】
【０００２】
図３において、光ケーブル１には、架空用クロージャ（光ケーブルクロージャ）２が設けられている。その架空用クロージャ２からは、光ドロップケーブル３が分岐されている。光ドロップケーブル３は、光接続箱４に導入されており、光接続箱４からは、宅内５に光インドアケーブル６が分岐配索されている。インドアケーブル６の端末は、光コンセント７に導入されている。尚、特に図示しないが、ビルなどにおいて、架空用クロージャや地中用クロージャから分岐された光ドロップケーブルは、先ず端末設備に導入されており、そして、導入された端末設備からは、光インドアケーブルや光接続箱などを用いて必要箇所に配索されている。
【０００３】
従来の光接続箱としては、例えば下記特許文献１に開示されたものが知られている。ここで、下記特許文献１の光接続箱におけるケーブル把持構造を説明すると、光接続箱本体には、図４に示されるようなケーブル配索孔８が形成されている。そのケーブル配索８に配索されたケーブル９は、ケーブル把持具１０によって固定されている。ケーブル配索孔８には、ケーブル把持具１０の係止突起１１を引っ掛けるための係止段部１２が形成されている。係止段部１２は、ケーブル配索孔８を横切る方向に突出形成されている。このようなケーブル把持構造において、ケーブル把持具１０は、幾つかの種類があり、ケーブル配索孔８に配索されるケーブル９の種別によって使い分けられるようになっている。
【０００４】
光接続箱の内部には、光ファイバ融着接続トレイが設けられている。光ファイバ融着接続トレイは、光ファイバ同士の融着接続部を差し込んで保持する差し込み保持部を有している。差し込み保持部の一例としては、下記特許文献２に開示されたものが知られている。図５において、差し込み保持部１３には、第一狭持手段１４と第二狭持手段１５とを有する狭持溝１６が複数形成されている。第一狭持手段１４は、狭持突片１７の正面に形成された突起１８と、隣り合う狭持突片１７の背面とで構成されており、単心の融着接続部１９をトレイ底面２０に当接するまで差し込んで、接触する程度の力で狭持するように形成されている。第二狭持手段１５は、狭持突片１７の正面側の両端と、隣り合う狭持突片１７の背面とで構成されており、テープ心線の融着接続部２１を突起１８に当接するまで差し込んで、第一狭持手段１４と同じく接触する程度の力で狭持するように形成されている。
【特許文献１】特開平１０−１０３３７号公報
【特許文献２】特開２００２−７１９６８号公報
【発明の開示】
【発明が解決しようとする課題】
【０００５】
今後、ＦＴＴＨの普及に伴い、拡大傾向にある光通信の端末部分では、低コストで多品種の光ドロップケーブル及び光インドアケーブル、光インドアケーブルに対応することが可能なケーブルホルダーが必要になると考えられる。しかしながら、上記従来のケーブル把持構造にあっては、部品点数を増やすケーブル把持具１０を必要とし、また、ケーブル把持具１０は幾つかの種類があることから、作業面及びコスト面において影響を来すという問題点を有している。
【０００６】
上記問題点を解消するために、光ファイバ融着接続トレイにおける差し込み保持部１３の構造の適用を考えてみたが、差し込み保持部１３の構造は、図５からも分かるように、融着接続部１９、２１の長さ方向に引っ張り力を加えると簡単に抜けてしまう構造であることから、ケーブル把持構造への適用は不向きである。
【０００７】
本発明は、上述した事情に鑑みてなされたもので、低コストで多品種の光ドロップケーブル及び光インドアケーブル、光インドアケーブルに対応可能な光ドロップ・インドアケーブルホルダーを提供することを課題とする。また、本発明は、低コストとなる光接続箱及び光ケーブルクロージャを提供することを課題とする。
【課題を解決するための手段】
【０００８】
上記課題を解決するためになされた請求項１記載の本発明の光ドロップ・インドアケーブルホルダーは、光ドロップ・インドアケーブル収容溝と該光ドロップ・インドアケーブル収容溝よりも幅の狭い光インドアケーブル収容溝とを上下に連続させてケーブル収容溝を形成するとともに、該ケーブル収容溝の両側面には溝長手方向に沿ってケーブルシース圧着凸部を互い違いに配置し、このような前記ケーブル収容溝を複数並べてなることを特徴としている。
【０００９】
このような特徴を有する本発明によれば、上段の光ドロップ・インドアケーブル収容溝に光ドロップケーブル及び光インドアケーブルが収容され、そして、その収容された光ドロップケーブル及び光インドアケーブルは、ケーブルシース圧着凸部によって押圧されるような状態で把持される。下段の光インドアケーブル収容溝には、光インドアケーブルが収容され、そして、その収容された光インドアケーブルは、ケーブルシース圧着凸部によって押圧されるような状態で把持される。ケーブルシース圧着凸部は、シースを押圧し、また、互い違いに配置されることから、収容された各ケーブルは、ケーブルの長さ方向に力が加わっても抜けない構造になっている。
【００１０】
請求項２記載の本発明の光接続箱は、請求項１に記載の光ドロップ・インドアケーブルホルダーを一体成形した光接続箱本体を備えることを特徴としている。
【００１１】
このような特徴を有する本発明によれば、光ドロップ・インドアケーブルホルダーが光接続箱本体に対して一体に成形されていることから、作業面及びコスト面において有利な構造になっている。
【００１２】
請求項３記載の本発明の光ケーブルクロージャは、請求項１に記載の光ドロップ・インドアケーブルホルダーを一体成形したクロージャ本体を備えることを特徴としている。
【００１３】
このような特徴を有する本発明によれば、光ドロップ・インドアケーブルホルダーがクロージャ本体に対して一体に成形されていることから、作業面及びコスト面において有利な構造になっている。
【発明の効果】
【００１４】
請求項１に記載された本発明によれば、低コストで多品種の光ドロップケーブル及び光インドアケーブル、光インドアケーブルに対応可能な光ドロップ・インドアケーブルホルダーを提供することができるという効果を奏する。
【００１５】
請求項２、３に記載された本発明によれば、低コストとなる光接続箱及び光ケーブルクロージャを提供することができるという効果を奏する。
【発明を実施するための最良の形態】
【００１６】
以下、図面を参照しながら説明する。
図１は本発明の光ドロップ・インドアケーブルホルダーの一実施の形態を示す図であり、（ａ）は平面図、（ｂ）は正面図、（ｃ）は光ドロップ・インドアケーブルホルダーに光ドロップケーブル及び光インドアケーブル、光インドアケーブルを把持させた状態の平面図、（ｄ）は光ドロップ・インドアケーブルホルダーに光ドロップケーブル及び光インドアケーブル、光インドアケーブルを把持させた状態の正面図である。
【００１７】
図１において、引用符号３１は本発明の光ドロップ・インドアケーブルホルダーを示している。その本発明の光ドロップ・インドアケーブルホルダー３１は、合成樹脂製であって、ケーブル収容溝３２を所定のピッチで複数並べることにより形成されている。ケーブル収容溝３２は、光ドロップ・インドアケーブル収容溝３３と光インドアケーブル収容溝３４とを上下に連続させて形成されている。
【００１８】
光インドアケーブル収容溝３４は、光ドロップ・インドアケーブル収容溝３３よりも幅が狭くなるように形成されている。一例として、本形態においては、光ドロップ・インドアケーブル収容溝３３の溝幅が２．０ｍｍで形成されている。また、光インドアケーブル収容溝３４の溝幅は１．６ｍｍで形成されている。すなわち、光ドロップ・インドアケーブル収容溝３３は、幅２．０ｍｍの光ドロップケーブル及び光インドアケーブル３５を収容することができるように形成されている。また、光インドアケーブル収容溝３４は、幅１．６ｍｍの光インドアケーブル３６を収容することができるように形成されている。ケーブル収容溝３２の溝長さは１０．０ｍｍで形成されている。
【００１９】
光ドロップ・インドアケーブル収容溝３３の溝深さは、光ドロップケーブル及び光インドアケーブル３５の幅サイズに合わせて形成されている。また、光インドアケーブル収容溝３４は、光インドアケーブル３６の幅サイズに合わせて形成されている。光ドロップ・インドアケーブル収容溝３３及び光インドアケーブル収容溝３４は、光ドロップケーブル及び光インドアケーブル３５、光インドアケーブル３６のサイズに合わせて形成されている（溝幅を調整することにより、例えば、幅３．０ｍｍのケーブルまで把持することができる）。
【００２０】
このようなケーブル収容溝３２の両側面には、溝長手方向に沿って複数のケーブルシース圧着凸部３７が互い違いに配置形成されている（千鳥状に配置形成されている）。ケーブルシース圧着凸部３７は、光ドロップ・インドアケーブル収容溝３３に収容された光ドロップケーブル及び光インドアケーブル３５のシースを押圧し、これによって光ドロップケーブル及び光インドアケーブル３５を確実に把持することができるように形成されている。また、同じくケーブルシース圧着凸部３７は、光インドアケーブル収容溝３４に収容された光インドアケーブル３６のシースを押圧し、これによって光インドアケーブル３６を確実に把持することができるように形成されている。
【００２１】
上記構成において、光ドロップケーブル及び光インドアケーブル３５が光ドロップ・インドアケーブル収容溝３３に押し込まれて収容され、そして、ケーブルシース圧着凸部３７によって光ドロップケーブル及び光インドアケーブル３５が押圧されると、その光ドロップケーブル及び光インドアケーブル３５は、抜け方向及びケーブル長さ方向に移動不能な状態で把持される。また、光インドアケーブル３６が光インドアケーブル収容溝３４に押し込まれて収容され、そして、ケーブルシース圧着凸部３７によって光インドアケーブル３６が押圧されると、その光インドアケーブル３６は、光ドロップケーブル及び光インドアケーブル３５と同様、抜け方向及びケーブル長さ方向に移動不能な状態で把持される。
【００２２】
以上、本発明の光ドロップ・インドアケーブルホルダー３１は、従来のような把持用の別部品を必要としないことから、低コストで提供することができるという利点を有する。また、本発明の光ドロップ・インドアケーブルホルダー３１は、多品種の光ドロップケーブル及び光インドアケーブル３５、光インドアケーブル３６に対応することができるという利点を有する。その他、本発明の光ドロップ・インドアケーブルホルダー３１は、ケーブル取り付け・取り外しに工具や接着剤を必要とせず、さらには、短時間で作業することができるという利点を有する。
【００２３】
図２は光ドロップ・インドアケーブルホルダーを有する光接続箱本体の平面図である。
【００２４】
図２において、光接続箱を構成する光接続箱本体４１には、図１で説明した本発明の光ドロップ・インドアケーブルホルダー３１が設けられている。その光ドロップ・インドアケーブルホルダー３１は、光接続箱本体４１に対して一体成形されている。光ドロップ・インドアケーブルホルダー３１が光接続箱本体４１に対して一体成形されることにより、低コストで製造することができるという利点を有する。また、部品点数の増大を抑えることができるという利点を有する。従って、低コストの光接続箱を提供することができるという利点を有する。
【００２５】
図２中の引用符号４２は光ファイバ同士の融着接続部を差し込んで保持する差し込み保持部（光スリーブホルダー）を示している。
【００２６】
尚、特に図示しないが、本発明の光ドロップ・インドアケーブルホルダー３１を光クロージャを構成するクロージャ本体に一体成形しても同様の効果を奏することができる。
【００２７】
その他、本発明は本発明の主旨を変えない範囲で種々変更実施可能なことは勿論である。
【図面の簡単な説明】
【００２８】
【図１】本発明の光ドロップ・インドアケーブルホルダーの一実施の形態を示す図であり、（ａ）は平面図、（ｂ）は正面図、（ｃ）は光ドロップ・インドアケーブルホルダーに光ドロップケーブル及び光インドアケーブル、光インドアケーブルを把持させた状態の平面図、（ｄ）は光ドロップ・インドアケーブルホルダーに光ドロップケーブル及び光インドアケーブル、光インドアケーブルを把持させた状態の正面図である。
【図２】光ドロップ・インドアケーブルホルダーを有する光接続箱本体の平面図である。
【図３】ケーブル配索状態の説明図である。
【図４】従来例のケーブル把持構造の説明図である。
【図５】従来例の光ファイバ融着接続トレイにおける差し込み保持部の説明図であり、（ａ）はケーブル保持前の平面図、（ｂ）はケーブル保持前の断面図、（ｃ）はケーブル保持後の平面図、（ｄ）はケーブル保持後の断面図である。
【符号の説明】
【００２９】
３１  光ドロップ・インドアケーブルホルダー
３２  ケーブル収容溝
３３  光ドロップ・インドアケーブル収容溝
３４  光インドアケーブル収容溝
３５  光ドロップケーブル及び光インドアケーブル
３６  光インドアケーブル
３７  ケーブルシース圧着凸部
４１  光接続箱本体
４２  差し込み保持部（光スリーブホルダー）
【図１】
2006138888.tif 000003
【図２】
2006138888.tif 000004
【図３】
2006138888.tif 000005
【図４】
2006138888.tif 000006
【図５】
2006138888.tif 000007